(57)【要約】本発明は、ＦＥＸＴを除去することが可能なＤＭＴシステムに関し、このＤＭＴシステムは、少なくとも一つの遠隔部送信端からの第１伝送線路に連結されている少なくとも一つの第１中央局受信部と、第２伝送線路に連結され、第１伝送線路からのＦＥＸＴが結合されたデータ信号を受信する第２中央局受信部とを含む。この際、第１中央局受信部は第１等化器と第１スライサを含み、第１等化器は第１伝送線路を介して受信したデータ信号の伝送線路減衰を補償し、第１スライサは第１等化器の出力に対してデシジョン処理してデシジョン値を求める。第２中央局受信部は第２等化器とＦＥＸＴ除去器を含み、タップ係数を用いて、ＦＥＸＴが結合されたデータ信号の伝送線路減衰を補償し、タップ係数と第１中央局受信部のデシジョン値によってＦＥＸＴによる影響を計算する。ＤＭＴシステムは等化器の出力からＦＥＸＴ除去器の出力を差し引いてＦＥＸＴを除去する。
2005520450.tif 000002
【特許請求の範囲】
【請求項１】
遠隔部送信端からの第１伝送線路に連結されており、第１伝送線路とは異なる少なくとも１本の第２伝送線路によって、ＦＥＸＴが結合されたデータ信号を受信する中央局受信部を含むＤＭＴシステムにおいて、
前記中央局受信部は、
自己のタップ係数を用いて、前記ＦＥＸＴが結合されたデータ信号の伝送線路減衰を補償する等化器と、
自己のタップ係数、及び前記第２伝送線路で伝送されるデータのデシジョン値によってＦＥＸＴによる影響を計算するＦＥＸＴ除去器とを含み、
前記等化器の出力から前記ＦＥＸＴ除去器の出力を差し引いて前記ＦＥＸＴを除去することを特徴とするＤＭＴシステム。
【請求項２】
前記ＦＥＸＴ除去器のタップ係数は、前記ＦＥＸＴ除去器の収斂速度を決定する引数、前記中央局受信部のデシジョンエラー及び前記第２伝送線路で伝送されるデータのデシジョン値によって収斂し、
前記等化器のタップ係数は、前記等化器の収斂速度を決定する引数、前記等化器のデシジョンエラー及び前記中央局受信部のデシジョン値によって収斂することを特徴とする請求項１記載のＤＭＴシステム。
【請求項３】
前記ＦＥＸＴ除去器のタップ係数は、前記ＦＥＸＴ除去器の収斂速度を決定する引数、前記中央局受信部のデシジョンエラー及び前記第２伝送線路で伝送されるデータのデシジョン値によって収斂し、
前記等化器のタップ係数は、前記等化器の収斂速度を決定する引数、前記中央局受信部のデシジョンエラー及び前記中央局受信部のデシジョン値によって収斂することを特徴とする請求項２記載のＤＭＴシステム。
【請求項４】
少なくとも一つの遠隔部送信端からの第１伝送線路にそれぞれ連結されている少なくとも一つの第１中央局受信部と、前記第１伝送線路とは異なる第２伝送線路に連結され、前記第１伝送線路からのＦＥＸＴが結合されたデータ信号を受信する第２中央局受信部とを含むＤＭＴシステムにおいて、
前記第１中央局受信部は、
前記第１伝送線路を介して受信したデータ信号の伝送線路減衰を補償する第１等化器と、
前記第１等化器の出力に対してデシジョン処理してデシジョン値を求める第１スライサとを含み、
前記第２中央局受信部は、
自己のタップ係数を用いて、前記ＦＥＸＴが結合されたデータ信号の伝送線路減衰を補償する第２等化器と、
自己のタップ係数及び前記第１中央局受信部のデシジョン値によってＦＥＸＴによる影響を計算するＦＥＸＴ除去器とを含み、
前記等化器の出力から前記ＦＥＸＴ除去器の出力を差し引いて前記ＦＥＸＴを除去することを特徴とするＤＭＴシステム。
【請求項５】
前記第２等化器の出力から前記ＦＥＸＴ除去器の出力を差し引いた値に対してデシジョン処理してデシジョン値を求める第２スライサをさらに含むことを特徴とする請求項４記載のＤＭＴシステム。
【請求項６】
前記ＦＥＸＴ除去器のタップ係数は、前記ＦＥＸＴ除去器の収斂速度を決定する引数、前記第２中央局受信部のデシジョンエラー及び前記第１中央局受信部のデシジョン値によって収斂されることを特徴とする請求項５記載のＤＭＴシステム。
【請求項７】
前記ＦＥＸＴ除去器のタップ係数は、
【数１】
2005520450.tif 000023
（ここで、ＦＣ（ｎ）は前記ＦＥＸＴ除去器のタップ係数、βは前記ＦＥＸＴ除去器の収斂速度を決定する引数、Ｅ２（ｎ）は前記第２中央局受信部のデシジョンエラー、
【数２】
2005520450.tif 000024
は前記第１中央局受信部のデシジョン値である）で引き続き更新されて一定の値に収斂することを特徴とする請求項６記載のＤＭＴシステム。
【請求項８】
前記第２等化器のタップ係数は、前記第２等化器の収斂速度を決定する引数、前記第２中央局受信部のデシジョンエラー及び前記第２中央局受信部のデシジョン値によって収斂されることを特徴とする請求項６記載のＤＭＴシステム。
【請求項９】
前記第２等化器のタップ係数は、
【数３】
2005520450.tif 000025
（ここで、ＥＱ（ｎ）は前記第２等化器のタップ係数、β’は前記第２等化器の収斂速度を決定する引数、Ｅ２（ｎ）は前記第２中央局受信部のデシジョンエラー、
【数４】
2005520450.tif 000026
は前記第２中央局受信部のデシジョン値である）で引き続き更新されて一定の値に収斂することを特徴とする請求項８記載のＤＭＴシステム。
【請求項１０】
前記第２中央局受信部は、前期第２等化器の出力に対してデシジョン処理してデシジョン値を求める第３スライサをさらに含み、
前記第２等化器のタップ係数は、前記第２等化器の収斂速度を決定する引数、前記第２等化器のデシジョンエラー及び前記第２中央局受信部のデシジョン値によって収斂されることを特徴とする請求項６記載のＤＭＴシステム。
【請求項１１】
前記第２等化器のタップ係数は、
【数５】
2005520450.tif 000027
（ここで、ＥＱ（ｎ）は前記第２等化器のタップ係数、β’は前記第２等化器の収斂速度を決定する引数、Ｅ１（ｎ）は前記第２中央局受信部のデシジョンエラー、
【数６】
2005520450.tif 000028
は前記第２等化器のデシジョン値である）で引き続き更新されて一定の値に収斂することを特徴とする請求項１０記載のＤＭＴシステム。
【発明の詳細な説明】
【技術分野】
【０００１】
本発明は、ディーエムティー(discrete multi-tone、以下「ＤＭＴ」という)システムに発生する雑音を除去することが可能なＤＭＴシステムに関するもので、特に遠端漏話雑音(far end crosstalk、以下「ＦＥＸＴ」という)を除去するためのＤＭＴシステムに関するものである。
【背景技術】
【０００２】
最近、通信ネットワークを介したマルチメディアサービスの供給に対する需要が増加し、このような需要を満足させるために増幅器又は中継器なしで既存の銅電話線を用いて数百ｋｂｐｓから数十Ｍｂｐｓまでのデータ伝送速度を提供するためのｘＤＳＬ(digital subscriber line)方式が開発された。
ｘＤＳＬは、ＨＤＳＬ(high-data-rate DSL)、ＳＤＳＬ(single-line HDSL)、ＡＤＳＬ(asymmetry DSL)、ＵＡＤＳＬ(universal ADSL)、ＶＤＳＬ(very-high-bit-rate DSL)などの様々な形で発展してきた。ＶＤＳＬは３００〜１,５００ｍの短距離からデータを高速で伝送するために開発された。
【０００３】
このようなｘＤＳＬに用いられる変復調方式には、ＳＣＭ(single-carrier modulation)方式のＣＡＰ(carrierless AM/PM)方式及びＱＡＭ(quadrature amplitude modulation)方式と、ＭＣＭ(multi-carrier modulation)方式のＤＭＴ(discrete multi-tone)方式などがある。
特に、ＤＭＴ方式は、全体伝送帯域を多数の狭帯域副チャネルに分割して伝送することにより、各副チャネルでの伝送周期が副チャネルの数だけ増加して簡単な単一タップ等化器でチャネル歪みの補償が可能である。また、ＤＭＴシンボルに保護区間としてサイクリックプレフィックス(cyclic prefix)を追加することにより、副チャネル間の直交性を保ってシンボル間の干渉を除去することができるため、受信端における等化器の構造が簡単になる。また、変復調過程はそれぞれＩＦＦＴ(inverse fast Fourier transform)とＦＦＴ(fast Fourier transform)を用いて高速で実現することができる。
【０００４】
ｘＤＳＬシステム環境で高速のデータ伝送能力を減衰させる主要な原因としては、信号が伝送線路に沿って伝播しながらいろいろの要因によって減衰する伝送線路減衰、及び隣接線路の間で発生する近端漏話信号(near end crosstalk、以下「ＮＥＸＴ」という)とＦＥＸＴのような漏話信号がある。
漏話信号は、多数の遠隔部送信端から送信する互いに異なる電気信号が同一のケーブル内にあるＵＴＰ(unshielded twisted pair)の間で電磁気的相互作用により互いに影響を与えるもので、中央局送受信端又は遠隔部送受信端のうち同側にある同一構内の送信機から送信された信号の影響を受けることをＮＥＸＴといい、反対側の送信機から送信された信号の影響を受けることをＦＥＸＴという。
【０００５】
特に、伝送線路による減衰は等化器(equalizer)によって補償される。そして、ＮＥＸＴは上向き信号と下向き信号として同周波数帯域を用いる場合、システムの性能を深刻に低下させるので、上・下向きそれぞれ互いに異なる周波数帯域を用いる周波数分割接続方式(frequency division duplexing、ＦＤＤ)を使用すると、ＮＥＸＴは源泉的に封鎖することができる。
そして、ＦＥＸＴを除去する技術としては、単一搬送波システムで使用可能な方法は提案されたが、多重搬送波システムで使用可能なＦＥＸＴ除去方法は、システムの複雑性のために未だ提案されていない。
【発明の開示】
【発明が解決しようとする課題】
【０００６】
本発明は、ＤＭＴシステムで隣接した線路から発生するＦＥＸＴを除去してシステムの性能を改善することを技術的課題とする。
また、本発明は、それぞれ遠隔部送信端の信号がチャネルを通過しながら、隣接した線路から発生するＦＥＸＴによって減少したシステム性能を改善するために、ＦＥＸＴ除去器を含ませる技術的方法と、ＦＥＸＴをより効率よく除去する技術方法を提示する。
【課題を解決するための手段】
【０００７】
本発明の第１の特徴によれば、遠隔部送信端からの第１伝送線路に連結されており、第１伝送線路とは異なる少なくとも１本の第２伝送線路によって、ＦＥＸＴが結合したデータ信号を受信する中央局受信部を含むＤＭＴシステムが提供される。中央局受信部は等化器とＦＥＸＴ除去器を含む。等化器は、自分のタップ係数を用いて、ＦＥＸＴが結合したデータ信号の伝送線路減衰を補償し、ＦＥＸＴ除去器は自分のタップ係数と第２伝送線路で伝送されるデータのデシジョン値によってＦＥＸＴによる影響を計算する。そして、ＤＭＴシステムは等化器の出力からＦＥＸＴ除去器の出力を差し引いてＦＥＸＴを除去する。
【０００８】
本発明の第２の特徴によれば、ＤＭＴシステムにおいて、少なくとも一つの遠隔部送信端からの第１伝送線路にそれぞれ連結されている少なくとも一つの第１中央局受信部と、第１伝送線路とは異なる第２伝送線路に連結され、第１伝送線路からのＦＥＸＴが結合したデータ信号を受信する第２中央局受信部とを含むＤＭＴシステムが提供される。第１中央局受信部は第１等化器と第１スライサを含み、第１等化器は第１伝送線路を介して受信したデータ信号の伝送線路減衰を補償し、第１スライサは第１等化器の出力に対してデシジョン処理してデシジョン値を求める。第２中央局受信部は、第２等化器とＦＥＸＴ除去器を含み、自分のタップ係数を用いて、ＦＥＸＴが結合されたデータ信号の伝送線路減衰を補償し、タップ係数と第１中央局受信部のデシジョン値によってＦＥＸＴによる影響を計算する。このＤＭＴシステムは等化器の出力からＦＥＸＴ除去器の出力を差し引いてＦＥＸＴを除去する。
【０００９】
この際、第２中央局受信部は、第２等化器の出力及びＦＥＸＴ除去器に対してデシジョン処理してデシジョン値を求めて第２スライサをさらに含むことができる。
この際、ＦＥＸＴ除去器のタップ係数は、ＦＥＸＴ除去器の収斂速度を決定する引数、第２中央局受信部のデシジョンエラー及び第１中央局受信部のデシジョン値によって収斂される。具体的に、ＦＥＸＴ除去器のタップ係数は、
【数１】
2005520450.tif 000003
（ここで、ＦＣ（ｎ）はＦＥＸＴ除去器のタップ係数、βはＦＥＸＴ除去器の収斂速度を決定する引数、Ｅ２（ｎ）は第２中央局受信部のデシジョンエラー、
【数２】
2005520450.tif 000004
は第１中央局受信部のデシジョン値である）で引き続き更新されて一定の値に収斂する。
【００１０】
また、第２等化器のタップ係数は、第２等化器の収斂速度を決定する引数、第２中央局受信部のデシジョンエラー及び第２中央局受信部のデシジョン値によって収斂されることができる。具体的に、第２等化器のタップ係数は
【数３】
2005520450.tif 000005
（ここで、ＥＱ（ｎ）は前記第２等化器のタップ係数、β’は前記第２等化器の収斂速度を決定する引数、Ｅ２（ｎ）は前記第２中央局受信部のデシジョンエラー、
【数４】
2005520450.tif 000006
は前記第２中央局受信部のデシジョン値である）で引き続き更新されて一定の値に収斂する。
【００１１】
また、第２中央局受信部は、第２等化器の出力に対してデシジョン処理してデシジョン値を求める第３スライサをさらに含むことができ、第２等化器のタップ係数は第２等化器の収斂速度を決定する引数、第２等化器のデシジョンエラー及び第２中央局受信部のデシジョン値によって収斂されることができる。具体的に、第２等化器のタップ係数は
【数５】
2005520450.tif 000007
（ここで、ＥＱ（ｎ）は前記第２等化器のタップ係数、β’は前記第２等化器の収斂速度を決定する引数、Ｅ１（ｎ）は前記第２中央局受信部のデシジョンエラー、
【数６】
2005520450.tif 000008
は前記第２中央局受信部のデシジョン値である）で引き続き更新されて一定の値に収斂する。
【発明を実施するための最良の形態】
【００１２】
以下、本発明の実施形態を、本発明の属する技術分野で通常の知識を有する者が容易に実施し得るように添付図面を参照して詳細に説明する。ところが、本発明は、様々な形態で実現されることができ、下記の実施形態に限定されない。
まず、本発明の実施形態に係る遠端漏話信号を除去するためのＤＭＴシステムに ついて図面を参照して詳細に説明する。
【００１３】
図１を参照して、本発明の第１及び第２実施形態に係る遠端漏話信号を除去するためのＤＭＴシステムについて説明する。
図１は、本発明の第１及び第２実施形態に係る遠端漏話信号を除去するためのＤＭＴシステムを示すブロック図である。
【００１４】
図１に示すように、本発明の第１及び第２実施形態に係るＤＭＴシステムは、複数の遠隔部送信端１００及び中央局受信端２００を含む。遠隔部送信端１００は、マッパー(mapper)１１０、直列−並列変換器１２０、逆フーリエ変換器(inverse fast Fourier transform、以下「ＩＦＦＴ」という)１３０、並列−直列変換器１４０及びフレーマー(framer)１５０）を含む。中央局受信端２００は、各遠隔部送信端１００からの複数の伝送線路にそれぞれ連結されている複数の受信部２００ａを含み、各受信部２００ａは、デフレーマー(deframer)２１０、直列−並列変換器２００、フーリエ変換器(fast Fourier transform、以下「ＦＦＴ」という)２３０、等化器２４０、ＦＥＸＴ除去器２５０、並列−直列変換器２６０及びデマッパー(demapper)２７０を含む。
【００１５】
マッパー１１０は、送信しようとするビットストリーム形態のデータ信号を各副チャネルに割り当てて星座化(constellation)する。このような星座化によってデータ信号はビット値に該当するＸＹ座標値［（ｘ、ｙ）であって、一般に複素数の形でｘ＋ｙｉと表現する。］にマッピングされ、このマッピングされた複素数値を一般に原星座(original constellation)という。マッパー１１０でマッピングされたデータ信号は直列−並列変換器１２０によって並列信号に変換された後、ＩＦＦＴ１３０に入力されて変調される。
【００１６】
並列−直列変換器１４０は、ＩＦＦＴ１３０で変調されたデータ信号を直列伝送するために直列信号に変換する。プレーマー１５０は副チャネル間の直交性のためのプレフィックスを付け、シンボル間の干渉を防止するためのウィンドウィング(windowing)を行って送信する。
【００１７】
遠隔部送信端１００から送信された信号は、チャネル３００を通過して中央局受信端２００に伝送される。この際、それぞれの遠隔部送信端１００は中央局受信端２００まで互いに異なる伝送線路を介して信号を伝送するので、隣接した他の伝送線路からのＦＥＸＴが元のデータ信号に加わって、中央局受信端２００に伝送する。
中央局受信端２００のデフレーマー２１０は、副チャネル間の直交性を保つために、フレーマー１５０で付けたプレフィックスを除去して直列−並列変換器２２０に伝達する。デフレーマー２１０でプレフィックスが除去されたデータ信号は、直列−並列変換器２２０によって並列信号に変換された後、ＦＦＴ２３０に入力されて復調される。
【００１８】
等化器２４０は、単一のタップからなり、それぞれの副チャネルごとに一つずつ連結され、それぞれの副チャネルに該当する伝送線路減衰を補償する。等化器２４０と同様に単一のタップからなるＦＥＸＴ除去器２５０は、それぞれの副チャネルごとに一つずつ連結されており、他の伝送線路に連結された受信部２００ａの各出力を入力としてＦＥＸＴによる影響を補償する。
ＦＥＸＴによる影響が補償されたデータ信号は、並列−直列変換器２６０によって直列信号に変換されてデマッパー２７０に入力される。デマッパー２７０は複素値からなるデータ信号をビットストリームにさらに変換し、スライサ２７１を前に含む。スライサ２７１は、入力されるデータ信号の座標値に最も近い原星座を求めるデシジョン処理を行う。スライサ２７１の入力値からその出力値である原星座を差し引いた値がデシジョンエラーであり、このデシジョンエラーはＦＥＸＴ除去器２５０のタップ係数の決定に用いられる。
【００１９】
一般に、このようなＤＭＴシステムでデータを伝送するためには、まず、初期化(initialization)段階が行わなければならない。このような初期化段階は、起動（ハンドシェイク）(activation:handshake)段階、トレーニング(training)段階、そしてチャネル分析及び交換(channel analysis & exchange)段階からなる。起動（ハンドシェイク）段階は、送受信端間に信号を伝送する準備が出来ているか否かを確認する段階であり、トレーニング段階は、シンボル同期化及び等化器トレーニング(equalizer training)を行い、チャネル分析及び交換段階は、各副チャネル毎の信号対雑音比（ＳＮＲ）を測定して、それぞれに合うビットローディング(bit loading)情報を有するビットテーブルを生成し、この際決定された各種のパラメータを送受信端間に交換する段階である。
【００２０】
トレーニング段階で等化器２４０及びＦＥＸＴ除去器２５０の伝達関数であるタップ係数が推定される。
次に、図２及び図３を参照して本発明の第１及び第２実施形態に係るＤＭＴシステムでＦＥＸＴを除去する方法について説明する。
図２及び図３は、それぞれ本発明の第１及び第２実施形態に係るＤＭＴシステムでＦＥＸＴ除去器の動作を詳細に示す図である。
【００２１】
以下、説明の便宜上、２つの遠隔送信端１００とこれに連結された伝送線路からデータ信号を受信する場合と仮定し、そして副チャネルは独立的であって互いに干渉がないため、遠隔部送信端１００と中央局受信端２００の受信部２００ａの副チャネル値をそれぞれ１：１対応させることができる。したがって、説明の便宜のために一つの副チャネルのみを用いて説明する。
【００２２】
本発明の第１及び第２実施形態に係るＦＥＸＴ除去方法は、ＦＥＸＴ除去器２５０のタップ係数を推定する方式が相違する。第１実施形態に係るＦＥＸＴ除去方法は、等化器２４０とＦＥＸＴ除去器２５０が互いに異なるデシジョンエラーを用いてタップ係数を収斂させることによりＦＥＸＴを除去する方法であり、第２実施形態に係るＦＥＸＴ除去方法は、等化器２４０とＦＥＸＴ除去器２５０が同じデシジョンエラーを用いてＦＥＸＴを除去する方法である。
【００２３】
まず、図２及び図３に示すように、各遠隔部送信端１００からの送信信号ａ（ｎ），ｂ（ｎ）は、それぞれ伝送線路を介して中央局受信端２００に伝送される。この際、ｂ（ｎ）がチャネルを通過しながら、ａ（ｎ）が伝送される伝送線路に移ってＦＥＸＴになる。
等化器２４０とＦＥＸＴ除去器２５０の伝達関数は、それぞれＥＱ（ｎ）及びＦＣ（ｎ）で表現され、収斂するまでその値が更新される。そして、ａ（ｎ）及びｂ（ｎ）を伝送する伝送線路での伝送線路減衰に該当する伝達関数は、それぞれＣＨａ及びＣＨｂで表現され、ｂ（ｎ）がａ（ｎ）のＦＥＸＴに変わる際の伝達関数は、ＦＸで表現され、これらは時間に従って殆ど変わらない値である。
【００２４】
まず、図２を参照して本発明の第１実施形態に係るＦＥＸＴ除去方法について詳細に説明する。
図２に示すように、本発明の第１実施形態に係るＤＭＴシステムにおいて、中央局受信端２００の受信部は、各遠隔部送信端からのデータ信号ａ（ｎ），ｂ（ｎ）にそれぞれ連結されている等化器２４１、２４２を含み、等化器２４１の出力からｂ（ｎ）によって生じたＦＥＸＴを除去するためのＦＥＸＴ除去器２５１を含む。そして、等化器２４１、２４２の出力端には、それぞれスライサ２７１、２７２が形成されて等化器２４１、２４２の出力値から原星座をデシジョンする。また、ＦＥＸＴ除去器２５１で等化器２４１の出力からＦＥＸＴが除去された値によって原星座をデシジョンするためのスライサ２７３がさらに形成されている。
【００２５】
等化器２４１の伝達関数であるタップ係数ＥＱａ（ｎ）は、下記式１によって新しいタップ係数ＥＱａ（ｎ＋１）に更新する。
【数７】
2005520450.tif 000009
【００２６】
ここで、βは等化器２４１の収斂速度を決定するステップサイズであり、Ｅ２（ｎ）は、スライサ２７１の出力値と入力値との差である等化器２４１のデシジョンエラーであり、
【数８】
2005520450.tif 000010
は、ａ（ｎ）を中央局受信端２００から推定した値、すなわちスライサ２７３によってデシジョンされた値である。
【００２７】
ＦＥＸＴ除去器２５１の伝達関数であるタップ係数ＦＣ（ｎ）は、下記の式２によって新しいタップ係数ＦＣ（ｎ＋１）に更新される。
【数９】
2005520450.tif 000011
【００２８】
ここで、β’は、ＦＥＸＴ除去器２５１の収斂速度を決定するステップサイズであり、Ｅ１（ｎ）はスライサ２７３の出力値と入力値との差であるデシジョンエラーであり、
【数１０】
2005520450.tif 000012
は、ｂ（ｎ）を中央局受信端２００で推定した値、すなわちスライサ２７２によってデシジョンされた値である。
【００２９】
式１及び式２によって、等化器２４１及びＦＥＸＴ除去器２５１のタップ係数ＥＱａ（ｎ），ＦＣ（ｎ）は、シンボル毎に更新されてそれぞれＥＱａ及びＦＣに収斂する。従って、十分な時間が経過して等化器２４１とＦＥＸＴ除去器２５１のタップ係数がそれぞれ収斂した場合、遠隔部送信端１００から伝送されたａ（ｎ）が中央局受信端２００の等化器２５１に入力される前の信号ａ１（ｎ）は、他の伝送線路によるＦＥＸＴが加わって式３のようになる。
【数１１】
2005520450.tif 000013
【００３０】
次に、このａ１（ｎ）は等化器２５１によって伝送線路減衰が補償されてａ２（ｎ）となり、ａ２（ｎ）は式４で表わされる。
【数１２】
2005520450.tif 000014
【００３１】
ａ２（ｎ）に雑音として作用するＦＥＸＴは、他の伝送線路から伝送される信号であるｂ（ｎ）によって発生したので、ｂ（ｎ）の推定値である
【数１３】
2005520450.tif 000015
を用いてＦＥＸＴを除去する。すなわち、スライサ２７３に入力される前の信号ａ３（ｎ）は式５となる。
【数１４】
2005520450.tif 000016
【００３２】
ここで、ＣＨａは、伝送線路減衰を示す伝達関数であり、ＥＱａは、伝送線路減衰を補償するための伝達関数なので、
【数１５】
2005520450.tif 000017
が成立する。そして、
【数１６】
2005520450.tif 000018
はｂ（ｎ）の推定値なので、
【数１７】
2005520450.tif 000019
が成立し、ＦＥＸＴ除去器２５１の伝達関数であるＦＣはＦＸ×ＥＱａに収斂するので、
【数１８】
2005520450.tif 000020
が成立する。従って、式５は、式６のようになり、ＦＥＸＴが除去されたａ（ｎ）のみが残って、ＦＥＸＴを除去することができる。
【数１９】
2005520450.tif 000021
【００３３】
次に、図３を参照して、本発明の第２実施形態に係るＦＥＸＴ除去方法について詳細に説明する。
本発明の第２実施形態に係るＦＥＸＴ除去方法は、第１実施形態とは異なり、等化器２４１とＦＥＸＴ除去器２５１が同一のデシジョンエラーを使用する。したがって、等化器２４１に使用されるデシジョンエラーＥ２（ｎ）を求めるためのスライサ２５１が不要である。すなわち、等化器２４１に使用されるデシジョンエラーＥ２（ｎ）は、ＦＥＸＴ除去器２５１に使用されるデシジョンエラーＥ１（ｎ）と同一の値を有する。従って、等化器２４１のタップ係数ＥＱａ（ｎ）とＦＥＸＴ除去器２５１のタップ係数ＦＣ（ｎ）は、式７によってそれぞれ新しいタップ係数ＥＱａ（ｎ＋１），ＦＣ（ｎ＋１）に更新され、これらはそれぞれＥＱａ及びＦＣに収斂する。
【００３４】
【数２０】
2005520450.tif 000022
以後の過程は、式３〜式６で説明した通りに進んでＦＥＸＴが除去される。このように等化器２４１とＦＥＸＴ除去器２５１に使用されるデシジョンエラーを同一の値にすると、ＦＥＸＴ除去器２５１のタップ係数ＦＣはＦＸ×ＥＱａにさらに近く収斂する。
【００３５】
本発明の第１及び第２実施形態では、２つの遠隔送信端にそれぞれ連結された伝送線路からデータ信号を受信する場合を仮定するとともに、副チャネルを一つのみ使用して説明したが、本発明はこれに限定されない。多数の遠隔送信端からデータ信号を受信する場合に生ずるＦＥＸＴを除去する過程は、本発明の属する技術分野で通常の知識を有する者であれば、前記実施形態から容易に理解することができるので、説明を省く。
【００３６】
このように本発明によれば、ＤＭＴシステムにＦＥＸＴ除去器を追加することにより、チャネル上で隣接した伝送線路によるＦＥＸＴを除去することができ、これにより伝送速度又は信号対雑音比が改善されてシステムの性能が向上する。
以上、本発明の好適な実施形態について詳細に説明したが、本発明の権利範囲はこれらの実施形態に限定されない。また、請求の範囲で定義している本発明の基本概念を用いた当業者のいろいろの変形及び改良形態も本発明の権利範囲に属するものである。
【図面の簡単な説明】
【００３７】
【図１】本発明の第１及び第２実施形態に係る遠端漏話信号を除去するためのＤＭＴシステムを示すブロック図である。
【図２】本発明の第１実施形態に係るＤＭＴシステムでＦＥＸＴ除去器の動作を詳細に示す図である。
【図３】本発明の第２実施形態に係るＤＭＴシステムでＦＥＸＴ除去器の動作を詳細に示す図である。
【符号の説明】
【００３８】
１００…遠隔部送信端
１１０…マッパー
１２０，２２０…直列−並列変換器
１３０，２３０…逆フーリエ変換器
１４０，２６０…並列−直列変換器
１５０…フレーマー
２００…中央局受信端
２１０…デフレーマー
２４０，２４１，２４２…等化器
２５０…ＦＥＸＴ除去器
２７０…デマッパー
【図１】
2005520450.tif 000029
【図２】
2005520450.tif 000030
【図３】
2005520450.tif 000031
【国際調査報告】
2005520450.tif 000032